(57)【要約】【課題】  撮影時の被写体固定の作業性を大幅に改善できる被写体固定装置および被写体固定方法を提供する。【解決手段】  被写体が保持もしくは被写体の所望部位に一体的に装着可能な第１固定具と、前記第１固定具に設けられた第２固定具と、前記支持具に設けられるとともに、前記第２固定具を前記支持具に固定する第３固定具とから構成し、前記第１固定具を、被写体が保持もしくは被写体の所望部位に一体的に装着し、前記第１固定具に設けられた前記第２固定具を、前記支持具に設けられた前記第３固定具に固定する順序で被写体を固定する。【選択図】  図１
2006043192.tif 000002
【特許請求の範囲】
【請求項１】
被写体をその体軸方向に沿って支持する支持具と、被写体を前記支持具の所定位置に配置もしくは固定する固定具を備えた放射線撮影用の被写体固定装置において、
前記固定具を、被写体が保持もしくは被写体の所望部位に一体的に装着可能な第１固定具と、前記第１固定具に設けられた第２固定具と、前記支持具に設けられるとともに、前記第２固定具を前記支持具に固定する第３固定具とから構成したことを特徴とする放射線撮影用の被写体固定装置。
【請求項２】
前記第１固定具が着衣型固定具であることを特徴とする請求項１記載の放射線撮影用の被写体固定装置。
【請求項３】
前記第１固定具が上肢もしくは下肢固定具であることを特徴とする請求項１記載の放射線撮影用の被写体固定装置。
【請求項４】
前記第１固定具を、両上肢もしくは両下肢の間隔を制限するとともに、所望の間隔に調整可能に構成したことを特徴とする請求項３記載の放射線撮影用の被写体固定装置。
【請求項５】
前記第１固定具がグリップであることを特徴とする請求項１記載の放射線撮影用の被写体固定装置。
【請求項６】
被写体をその体軸方向に沿って支持する支持具と、被写体を前記支持具の所定位置に配置もしくは固定する固定具を使用した放射線撮影用の被写体固定方法において、
前記固定具を構成する第１固定具を、被写体が保持もしくは被写体の所望部位に一体的に装着する第１ステップと、前記第１固定具に設けられた第２固定具を、前記支持具に設けられた第３固定具に固定する第２ステップとから構成したことを特徴とする放射線撮影用の被写体固定方法。
【発明の詳細な説明】
【技術分野】
【０００１】
本発明は、放射線撮影時に被写体を固定する被写体固定装置および被写体固定方法に関するものである。
【背景技術】
【０００２】
従来の放射線撮影装置において、撮影中の被写体の体動を最小限に抑え、撮影画像上の被写体のブレを低減する為に、被写体を所定位置に固定する被写体固定装置が知られている。例えば、被写体を載置する天板部に拘束されつつ、その長手方向に移動可能に配置された被写体固定具を有する被写体固定装置が開示されている。（例えば、特許文献１参照）
【特許文献１】特開平１−２６８５４２号公報（第２−３頁、第２、３図）
【発明の開示】
【発明が解決しようとする課題】
【０００３】
前記従来装置では、天板に被写体を載せたのち、天板に固定しようとする所望部位の位置に合わせて固定具の位置を調整し、最後に固定具の拘束手段により被写体の所望部位を天板に固定しなければならないことは明らかである。しかも、被写体を天板に載せる以前に、固定具の正確な位置調整をすることができない。つまり、天板の長手方向に関する固定具の位置を、被写体が入れ替わる毎にその体格に応じてその都度調整しなければならないので、作業が煩雑になるとともに撮影のスループットが低下する。また、固定具を天板の長手方向に移動させる移動機構も必要である。
【０００４】
本発明の目的は、上述の問題点を解消し、撮影時の被写体固定の作業性を大幅に改善できる被写体固定装置および被写体固定方法を提供することにある。
【課題を解決するための手段】
【０００５】
被写体をその体軸方向に沿って支持する支持具と、被写体を前記支持具の所定位置に配置もしくは固定する固定具を備えた放射線撮影用の被写体固定装置において、前記固定具を、被写体が保持もしくは被写体の所望部位に一体的に装着可能な第１固定具と、前記第１固定具に設けられた第２固定具と、前記支持具に設けられるとともに、前記第２固定具を前記支持具に固定する第３固定具とから構成した。
【０００６】
また、被写体をその体軸方向に沿って支持する支持具と、被写体を前記支持具の所定位置に配置もしくは固定する固定具を使用した放射線撮影用の被写体固定方法において、前記固定具を構成する第１固定具を、被写体が保持もしくは被写体の所望部位に一体的に装着する第１ステップと、前記第１固定具に設けられた第２固定具を、前記支持具に設けられた第３固定具に固定する第２ステップとから構成した。
【発明の効果】
【０００７】
以上説明したように、本発明に係る放射線撮影用の被写体固定装置および被写体固定方法では、固定具が被写体に保持もしくは一体的に装着された時点で、従来行われていた個々の被写体に応じた固定具の位置調整が終了しているので、被写体固定具の移動機構、および被写体の入れ替え毎に発生する位置調整作業が不要となり、被写体固定の作業性を大幅に改善できる。また、撮影の順番待ちをしている被写体にも予め固定具を装着可能なので、特に検診撮影時には撮影のスループットを向上することができる。
【発明を実施するための最良の形態】
【０００８】
以下、本発明の実施形態を添付の図面を参照して説明する。
【０００９】
なお、以下の実施形態では、本発明の被写体固定装置および被写体固定方法の例として、Ｘ線を用いて被写体の断層像を撮影するＸ線ＣＴ撮影装置について説明するが、本発明を被写体を撮影する他のＸ線撮影装置または他の放射線を用いた撮影装置に適用することも可能である。
【００１０】
図１は、本発明の実施形態に係るＸ線ＣＴ撮影装置のブロック図である。Ｘ線を照射するＸ線管１およびＸ線を検出する２次元のＸ線検出器２が、互いに対向して配置された撮影系を構成している。Ｘ線管１とＸ線検出器２との間には回転台３が配置され、ターンテーブル４が不図示の駆動部によって回転軸４ａを中心に回転可能に構成、制御される。また、背当てユニット６が、被写体５を起立した状態で支持する支持具としてターンテーブル４に直立して固定される。背当てユニット６は、被写体５の体幹部、頭部および四肢と当接する背当て部７、被写体５と当接しない背当て部７の背面側の全面に設けられた粘着部８により構成される。そして、本発明の種々の固定具を用いて背当てユニット６に固定された被写体５を載せたターンテーブル４が所定速度で回転すると同時に、Ｘ線管１から被写体５に向けてＸ線が照射され、Ｘ線照射領域内に配置された被写体５および背当てユニット６のＸ線画像データが、ターンテーブル４の所定角度毎にＸ線検出器２によって検出される。そして、それらのＸ線画像データを再構成処理することにより、所定の断層画像が得られる。
【００１１】
次に、背当て部７に設けられた粘着部８に接合される固定具、およびその固定具を使用して被写体５を背当て部７に固定する方法の第1の実施形態について説明する。
【００１２】
図２は、固定具の第１の実施形態の構成を示す正面図であり、被写体の体幹部を固定するものである。図３は、被写体の体幹部が支持具に固定された状態を示す体幹付近の断面図である。
【００１３】
本実施形態の固定具１０は、上半身に身に付けるチョッキに似た着衣である。固定具１０の本体１１には袖がなく、前開き構造となっており、本体１１の左右の端部１２および１３が被写体５の体幹部の正面で互いに重ね合わさるように構成される。また、ベルト１４および１５が端部１２および１３にそれぞれ２本づつ所定間隔で一体的に設けられ、被写体５の胸部および腹部に相当する位置に配置される。そして、ベルト１４および１５はその先端部に粘着部１６を有している。この粘着部１６および背当て部７に設けられた粘着部８は、例えばマジックファスナー（登録商標）などの互いに着脱自在な固定具として構成される。また、被写体５の上肢を通すための開口部１７、１８が、固定具１０の本体１１の左右上部にそれぞれ設けられ、さらに、ベルト１５の幅よりも広い２つの開口部１９が開口部１７の下方に所定間隔並んで設けられる。
【００１４】
被写体５が固定具１０を装着する際には、開口部１７、１８に両上肢をそれぞれ通して上半身に身に付け、端部１３の上に端部１２を重ね合わせるとともに、２つの開口部１９に２本のベルト１５を１本ずつ通す。次に、固定具１０を身に付けた被写体５を、起立した状態で背当て部７に密着させる。そして、図３に示すように、ベルト１４および１５の先端を、図に示した矢印方向へそれぞれ引っ張るようにしながら互いに逆方向から背当て部７の背面側へ回し、被写体５と背当て部７とを一体的に包み込むようにする。そして、その状態を維持しながら、ベルト１４および１５の粘着部１６と、背当て部７に設けられた粘着部８とを互いに接合する。以上の手順により、固定具の位置調整を行うことなく、被写体５の胸部および腹部、すなわち体幹部を背当て部７に固定することができる。
【００１５】
この第１の実施形態では、被写体の固定をより確実にする為に、被写体５が固定具１０を装着した際に、本体１１の端部１２および１３が体幹部の正面で重なり合う範囲を別の粘着部などで固定してもよい。また、背当て部７の被写体と当接する面、および固定具の本体１１の背当て部７と当接する背面部に、互いに着脱自在な粘着部をあらたに設けてそれらを接合するようにしてもよい。
【００１６】
次に、第２の実施形態について説明する。
【００１７】
図４は、固定具の第２の実施形態の構成を示す正面図であり、被写体の体幹部および上肢を固定するものである。図５は、被写体の上肢を頭部の上方に配置するグリップの構成を示す図である。図６は、被写体が支持具に固定された状態を示す正面図である。図７は、図３と同様に、被写体の体幹部が支持具に固定された状態を示す体幹付近の断面図であり、図８は、被写体が握ったグリップが固定された状態を天井方向から見た上面図である。図９は、被写体の上肢が固定された状態を示す断面図である。
【００１８】
本実施形態の固定具２０は、上半身に身に付けるセーターに似た着衣である。固定具２０の本体２１には袖２２が設けられ、胴体部は閉じた構造となっている。さらに、ベルト２３および２４が、本体２１の胴体部を互いに逆方向から本体２１を半周包むように近接して設けられる。ベルト２３および２４の端部は、本体２１から所定長さ突出した紐部２３ａ、２３ｂおよび２４ａ、２４ｂを形成し、その先端部はそれぞれ粘着部２５を有している。この粘着部２５および背当て部７に設けられた粘着部８は、第1の実施形態と同様に、互いに着脱自在な固定具として構成される。そして、被写体が固定具２０を装着した際には、紐部２３ａおよび２４ａは被写体の正面側、紐部２３ｂおよび２４ｂは被写体の背面側に配置される。また、別のベルト２６および２７が左右の袖２２に設けられ、ベルトの中央部が左右の袖２２の肘付近に相当する位置に配置される。ベルト２６および２７の両端部も、袖２２から所定長さ突出した紐部２６ａ、２６ｂおよび２７ａ、２７ｂを形成し、紐部２６ａおよび２７ａの先端は粘着部２８を有している。一方、紐部２６ｂおよび２７ｂの全面にはそれぞれ粘着部２９および３０を有している。そして、粘着部２８および背当て部７に設けられた粘着部８、粘着部２９および３０が、それぞれ互いに着脱自在な固定具として構成される。そして、被写体が固定具２０を装着した状態で両上肢を天井方向へ伸ばした際に、紐部２６ａおよび２７ａは被写体の外側、紐部２６ｂおよび２７ｂは被写体の頭部側に配置される。
【００１９】
次に、被写体が握るグリップ３１について説明する。グリップ本体３２は円弧状に湾曲した樹脂材料から成り、その断面は円である。グリップ本体３２の両端部の間隔は、おおよそ背当て部７の幅と等しく、ベルト３３がグリップ本体３２の両端部に設けられる。ベルト３３は所定の長さを有しており、その先端部にはそれぞれ粘着部３４を有している。この粘着部３４および背当て部７に設けられた粘着部８も、互いに着脱自在な固定具として構成される。
【００２０】
次に、被写体５の固定方法について説明する。図６に示すように、固定具２０を身に付け、グリップ３１を握った両上肢を天井方向へ伸ばした被写体５を、起立した状態で背当て部７に密着させる。そして、図７に示すように、ベルト２３および２４の紐部２３ｂおよび２４ｂの先端を、図に示した矢印方向へそれぞれ引っ張るようにしながら互いに逆方向から背当て部７の背面側へ回し、粘着部２５と背当て部７に設けられた粘着部８とを互いに接合する。続いて、第１の実施形態と同様に、ベルト２３および２４の紐部２３ａおよび２４ａの先端を図に示した矢印方向へそれぞれ引っ張るようにしながら互いに逆方向から背当て部７の背面側へ回し、被写体５と背当て部７とを一体的に包み込むようにする。そして、その状態を維持しながら、紐部２３ａおよび２４ａの粘着部２５と、背当て部７に設けられた粘着部８とを互いに接合する。以上の手順により、ベルト２３および２４が、被写体５の体幹部を互いに逆方向へ引っ張りながら背当て部７に固定するので、強固な固定が可能となる。
【００２１】
一方、グリップ３１も、図８に示すように、背当て部７を包み込むようにしてベルト３３の先端を互いに逆方向から背当て部７の背面側へ回し、粘着部３４と背当て部７に設けられた粘着部８とを互いに接合し、グリップ３１を背当て部７に固定する。そして、図９に示すように、ベルト２６および２７の紐部２６ｂおよび２７ｂの全面にそれぞれ設けられた粘着部２９および３０を、両肘が所望の間隔を維持するような位置で互いに接合する。そして、紐部２６ａ、２７ａの先端を図に示した矢印方向へそれぞれ引っ張るようにしながら互いに逆方向から背当て部７の背面側へ回し、被写体５の両上肢と背当て部７とを一体的に包み込むようにする。その状態を維持しながら粘着部２８と背当て部７に設けられた粘着部８とを互いに接合することにより、被写体の両上肢を背当て部７に固定する。この段階で、固定具の本体２１に分割して設けられていたベルト２６および２７が１本のベルトとして作用するとともに、被写体の両肘の間隔が制限されるので、そのベルト上での両肘の位置が一義的に決定され、両上肢を背当て部７に確実に配置、固定することができる。
【００２２】
この第２の実施形態では、被写体の体幹部および上肢の配置ならびに固定を、着衣型固定具およびグリップを用いて行ったが、この着衣型固定具の袖部に相当する部分のみを被写体の上肢に装着することにより、上肢のみを固定してもよい。また、両上肢の固定を同時に行ったが、ベルト２６、２７の紐部２６ｂ、２７ｂを互いに接合することなく、両上肢をそれぞれ独立して背当て部７に固定してもよい。
【００２３】
以上説明した実施形態では、起立した被写体の体幹部および上肢を配置もしくは固定する場合について説明したが、例えば、頭部や下肢の固定を行う場合にも同様な構成により本発明を適用することができる。また、被写体を横臥させて撮影を行う従来の被写体固定具のように、被写体の個体差に応じた固定具の位置調整作業が体軸方向に必要な場合においても本発明を適用できることは明らかである。
【図面の簡単な説明】
【００２４】
【図１】本発明の実施形態に係るＸ線ＣＴ撮影装置である。
【図２】固定具の第１の実施形態の構成を示す正面図である。
【図３】被写体の体幹部が固定された状態を示す断面図である。
【図４】固定具の第２の実施形態の構成を示す正面図である。
【図５】グリップの構成を示す図である。
【図６】被写体が固定された状態を示す正面図である。
【図７】被写体の体幹部が固定された状態を示す断面図である。
【図８】グリップが固定された状態を示す上面図である。
【図９】被写体の上肢が固定された状態を示す断面図である。
【符号の説明】
【００２５】
５  被写体
７  背当て部
８、１６、２５、２８、３４  粘着部
１０、２０、３１  固定具
１１、２１  着衣本体
３２  グリップ本体
【図１】
2006043192.tif 000003
【図２】
2006043192.tif 000004
【図３】
2006043192.tif 000005
【図４】
2006043192.tif 000006
【図５】
2006043192.tif 000007
【図６】
2006043192.tif 000008
【図７】
2006043192.tif 000009
【図８】
2006043192.tif 000010
【図９】
2006043192.tif 000011